(57)【要約】【課題】キャリッジの姿勢を安定させて被記録媒体における記録品質を向上させる記録装置を提供する。【解決手段】記録装置は、被記録媒体に液体を吐出して記録を行う記録ヘッドと、記録ヘッドが設けられ、第１の方向に沿って移動可能なキャリッジと、液体を収容する液体収容部から液体をキャリッジに供給するチューブであって、キャリッジ内に導かれる一端及び一端からキャリッジの外に延出して第１の方向に延び、折り返して反対方向に延びる他端を有するチューブと、チューブと係合し、かつチューブをキャリッジ内にガイドするチューブガイド部とを備え、チューブに生じた復元力は第１の方向において折り返し部から反対方向に離れた位置で最大となり、当該最大位置から反対方向に離れるにつれて減少し、チューブガイド部におけるチューブとの係合位置は、第１の方向において復元力が最大となる位置から外れている。【選択図】図４
2016165840.tif 000002
【特許請求の範囲】
【請求項１】
被記録媒体に液体を吐出して記録を行う記録ヘッドと、
前記記録ヘッドが設けられ、第１の方向に沿って移動可能なキャリッジと、
前記液体を収容する液体収容部と、
前記液体収容部から送出される前記液体を前記キャリッジに供給するチューブであって、前記キャリッジ内に導かれる一端及び前記一端から前記キャリッジの外に延出して前記第１の方向に延び、折り返して反対方向に延びる他端を有するチューブと、
前記キャリッジから延出し、前記チューブと係合し、かつ前記チューブを前記キャリッジ内にガイドするチューブガイド部と、
を備え、
前記チューブを折り返すことにより前記チューブに生じた復元力は前記第１の方向において前記折り返し部から前記反対方向に離れた位置で最大となるとともに当該最大となる位置から前記反対方向に離れるにつれて減少し、
前記チューブガイド部における前記チューブとの係合位置は、前記第１の方向において前記復元力が最大となる位置から外れている、
ことを特徴とする記録装置。
【請求項２】
請求項１に記載の記録装置において、前記チューブは複数設けられ、
前記チューブガイド部における各チューブの係合位置は、前記第１の方向においてずれている、
ことを特徴とする記録装置。
【請求項３】
被記録媒体に液体を吐出して記録を行う記録ヘッドと、
前記記録ヘッドが設けられ、第１の方向に沿って移動可能なキャリッジと、
前記液体を収容する液体収容部と、
前記液体収容部から送出される前記液体を前記キャリッジに供給する複数のチューブであって、前記キャリッジ内に導かれる一端及び前記一端から前記キャリッジの外に延出して前記第１の方向に延び、折り返して反対方向に延びる他端を有するチューブと、
前記キャリッジから延出し、前記チューブと係合し、かつ前記チューブを前記キャリッジ内にガイドするチューブガイド部と、
を備え、
前記チューブガイド部における各チューブの係合位置は、前記第１の方向においてずれている、
ことを特徴とする記録装置。
【請求項４】
被記録媒体に液体を吐出して記録を行う記録ヘッドと、
前記記録ヘッドが設けられ、第１の方向に沿って移動可能なキャリッジと、
前記液体を収容する液体収容部と、
前記液体収容部から送出される前記液体を前記キャリッジに供給する複数のチューブであって、前記キャリッジ内に導かれる一端及び前記一端から前記キャリッジの外に延出して前記第１の方向に延び、折り返して反対方向に延びる他端を有するチューブと、
前記キャリッジから延出し、前記チューブと係合し、かつ前記チューブを前記キャリッジ内にガイドするチューブガイド部と、
を備え、
前記チューブガイド部における各チューブをガイドする部分の長さが、前記第１の方向において異なる、
ことを特徴とする記録装置。
【請求項５】
請求項２から請求項４のいずれか一項に記載の記録装置において、前記複数のチューブは少なくとも２組に分けられ、
前記チューブガイド部における前記少なくとも２組のチューブの係合位置は、前記第１の方向においてずれている、
ことを特徴とする記録装置。
【請求項６】
請求項２から請求項５のいずれか一項に記載の記録装置において、前記第１の方向に延びる案内部材と接触して前記案内部材上を摺動するとともに前記キャリッジにおいて前記第１の方向と交差する第２の方向における一方の側に設けられた摺動部材を備え、
前記複数のチューブは前記チューブガイド部において前記第２の方向に沿って配列され、
前記第２の方向において最も前記摺動部材寄りに配置されたチューブの前記チューブガイド部における係合位置は、他のチューブの係合位置よりも前記折り返し部側に位置する、
ことを特徴とする記録装置。
【請求項７】
請求項６に記載の記録装置において、前記第２の方向において最も前記摺動部材寄りに配置されたチューブのチューブ径は、他のチューブのチューブ径よりも太い、
ことを特徴とする記録装置。
【請求項８】
請求項２から請求項５のいずれか一項に記載の記録装置において、前記複数のチューブは前記チューブガイド部において前記第１の方向と交差する第２の方向に沿って配列され、
前記複数のチューブにおいて最も前記キャリッジから離れた位置に配置されたチューブのチューブ径は、他のチューブのチューブ径よりも太く、
前記最も太いチューブの前記チューブガイド部における係合位置は、前記折り返し部に対して他のチューブの係合位置よりも離れている、
ことを特徴とする記録装置。
【請求項９】
請求項２から請求項５のいずれか一項に記載の記録装置において、前記第１の方向に延びる案内部材と接触して前記案内部材上を摺動するとともに前記キャリッジにおいて前記第１の方向と交差する第２の方向における一方の側に設けられた摺動部材を備え、
前記複数のチューブは前記チューブガイド部において前記第２の方向に沿って配列され、
前記複数のチューブにおいて最も前記摺動部材寄りに配置されたチューブのチューブ径は、他のチューブのチューブ径よりも太く、
前記最も太いチューブの前記チューブガイド部における係合位置は、前記折り返し部に対して他のチューブの係合位置よりも離れている、
ことを特徴とする記録装置。
【請求項１０】
請求項２から請求項８のいずれか一項に記載の記録装置において、前記複数のチューブは前記チューブガイド部において前記第１の方向と交差する第２の方向に沿って配列され、各チューブの係合位置又は複数の組に分けられたチューブの係合位置は前記第２の方向において前記キャリッジから離れる順に前記折り返し部から離れていく、
ことを特徴とする記録装置。
【請求項１１】
請求項２から請求項１０のいずれか一項に記載の記録装置において、前記複数のチューブの折り返し部の外周側において前記複数のチューブに沿って前記チューブガイド部から前記第１の方向に延び、前記折り返し部で折り返して反対方向に延びて、前記複数のチューブを保護するシート部材を備え、
前記シート部材は、前記チューブガイド部から前記折り返し部側に延びる少なくとも１つのスリットを備え、
前記スリットは前記第２の方向において前記複数のチューブ間、又は複数の組に分けられたチューブの組同士の間に設けられている、
ことを特徴とする記録装置。
【請求項１２】
請求項１から請求項１１のいずれか一項に記載の記録装置において、前記キャリッジの上部に取り付けられ、少なくとも一部が前記チューブガイド部を覆うカバー部材を備え、
前記カバー部材は、前記チューブと前記チューブガイド部との係合位置に対応して前記チューブガイド部の係合位置を覆う、
ことを特徴とする記録装置。
【発明の詳細な説明】
【技術分野】
【０００１】
本発明は、被記録媒体に記録を行う記録装置に関する。  
本願において、記録装置には、所定方向に記録ヘッドが移動しながら記録を行うシリアルプリンター及びこれらプリンター機能を備える複写機、ファクシミリ等の種類が含まれるものとする。
【背景技術】
【０００２】
近年、インクジェットプリンター等の記録装置では、被記録媒体の記録可能枚数を向上させるために装置本体内あるいは装置本体外に大容量のインク収容タンクを設けることが行われている。特許文献１には、この大容量のインク収容タンクを備えた記録装置の一例が記載されている。
【先行技術文献】
【特許文献】
【０００３】
【特許文献１】特開２０１２−１５２９９４号公報
【発明の概要】
【発明が解決しようとする課題】
【０００４】
特許文献１に記載の記録装置は、キャリッジガイド軸に挿入されたキャリッジが装置幅方向において往復移動可能に構成されている。また、前記キャリッジにおいて該キャリッジの上部は前記装置幅方向に延びるガイドフレームに支持されている。
【０００５】
特許文献１に記載の記録装置において、装置本体側面に大容量のインクタンクが複数設けられ、前記インクタンクにはインクチューブが接続されている。前記インクタンクに接続された前記インクチューブは装置幅方向に延びるとともに、前記キャリッジの前記装置幅方向における往復運動に対して前記装置幅方向における前記キャリッジの左側に折り返し部分を有し、前記往復運動に対して追従変形するように構成されている。
【０００６】
ところで、近年被記録媒体における記録品質の向上のために、前記キャリッジに設けられた記録ヘッドにおけるノズルの高密度化が図られている。具体的には、前記記録ヘッドにおいてインクを前記被記録媒体に吐出するノズル数を増加させている。
【０００７】
しかしながら、前記記録ヘッドにおいてノズル数を増やすと、該記録ヘッドに対するインクの必要供給量が増大する。そのため、前記インクタンクから前記キャリッジにインクを供給する前記インクチューブの径が太くなる。このノズル数を増加させた記録ヘッドを特許文献１に記載の記録装置に適用すると、前記インクチューブの径が太いため、前記インクチューブを折り返すことにより生じる復元力が大きくなる。その結果、前記復元力は、前記キャリッジを前記ガイドフレームから離間させるように作用し、前記記録ヘッドから吐出するインクの着弾位置にずれが生じて前記被記録媒体における記録品質が低下する虞がある。
【０００８】
本発明は、上記問題点に鑑みてなされたもので、キャリッジの姿勢を安定させて被記録媒体における記録品質を向上させる記録装置を提供することを目的とする。
【課題を解決するための手段】
【０００９】
上記課題を達成するため、本発明の第１の態様の記録装置は、被記録媒体に液体を吐出して記録を行う記録ヘッドと、前記記録ヘッドが設けられ、第１の方向に沿って移動可能なキャリッジと、前記液体を収容する液体収容部と、前記液体収容部から送出される前記液体を前記キャリッジに供給するチューブであって、前記キャリッジ内に導かれる一端及び前記一端から前記キャリッジの外に延出して前記第１の方向に延び、折り返して反対方向に延びる他端を有するチューブと、前記キャリッジから延出し、前記チューブと係合し、かつ前記チューブを前記キャリッジ内にガイドするチューブガイド部とを備え、前記チューブを折り返すことにより前記チューブに生じた復元力は前記第１の方向において前記折り返し部から前記反対方向に離れた位置で最大となるとともに当該最大となる位置から前記反対方向に離れるにつれて減少し、前記チューブガイド部における前記チューブとの係合位置は、前記第１の方向において前記復元力が最大となる位置から外れていることを特徴とする。
【００１０】
本態様によれば、前記チューブガイド部における前記チューブとの係合位置は、前記第１の方向において前記復元力が最大となる位置から外れているので、前記チューブガイド部、ひいては前記キャリッジが受ける前記チューブの復元力が小さくなる。その結果、前記キャリッジがガイド部材等から浮き上がることを抑制できる。したがって、被記録媒体における記録品質の低下を抑制できる。
【００１１】
尚、本明細書において、前記チューブが前記第１の方向に延びるとは厳密に前記第１の方向にのみ延びている状態を意味するものではなく、前記第１の方向と交差する方向に傾斜して前記第１の方向に延びている状態も含んでいることを意味している。
【００１２】
本発明の第２の態様の記録装置は、第１の態様において、前記チューブは複数設けられ、前記チューブガイド部における各チューブの係合位置は、前記第１の方向においてずれていることを特徴とする。
【００１３】
本態様によれば、前記チューブガイド部における各チューブの係合位置は、前記第１の方向においてずれている。例えば、前記チューブガイド部における一のチューブとの係合位置に対して他のチューブとの係合位置が前記反対方向の側にずれている場合、前記チューブガイド部が前記一のチューブから受ける復元力より前記他のチューブから受ける復元力の方が小さくなる。その結果、前記チューブガイド部における復元力の合計値が、前記複数のチューブを前記第１の方向における同じ位置で受けた場合の復元力の合計値よりも小さくなる。これにより、前記キャリッジが受ける前記チューブの復元力が小さくなり、前記キャリッジがガイド部材等から浮き上がることを抑制できる。したがって、被記録媒体における記録品質の低下を抑制できる。
【００１４】
本発明の第３の態様の記録装置は、被記録媒体に液体を吐出して記録を行う記録ヘッドと、前記記録ヘッドが設けられ、第１の方向に沿って移動可能なキャリッジと、前記液体を収容する液体収容部と、前記液体収容部から送出される前記液体を前記キャリッジに供給する複数のチューブであって、前記キャリッジ内に導かれる一端及び前記一端から前記キャリッジの外に延出して前記第１の方向に延び、折り返して反対方向に延びる他端を有するチューブと、前記キャリッジから延出し、前記チューブと係合し、かつ前記チューブを前記キャリッジ内にガイドするチューブガイド部とを備え、前記チューブガイド部における各チューブの係合位置は、前記第１の方向においてずれていることを特徴とする。
【００１５】
本態様によれば、前記チューブガイド部における各チューブの係合位置は、前記第１の方向においてずれている。つまり、前記チューブガイド部において前記チューブを折り返すことにより生じる復元力を受ける位置が変わるので、受ける位置により前記復元力の大きさも異なる。例えば、一のチューブとの係合位置で受ける復元力が他のチューブとの係合位置で受ける復元力よりも小さい場合、前記キャリッジに作用する前記複数のチューブ全体の復元力を小さくすることができるので、前記キャリッジがガイド部材等から浮き上がることを抑制できる。したがって、被記録媒体における記録品質の低下を抑制できる。
【００１６】
本発明の第４の態様の記録装置は、被記録媒体に液体を吐出して記録を行う記録ヘッドと、前記記録ヘッドが設けられ、第１の方向に沿って移動可能なキャリッジと、前記液体を収容する液体収容部と、前記液体収容部から送出される前記液体を前記キャリッジに供給する複数のチューブであって、前記キャリッジ内に導かれる一端及び前記一端から前記キャリッジの外に延出して前記第１の方向に延び、折り返して反対方向に延びる他端を有するチューブと、前記キャリッジから延出し、前記チューブと係合し、かつ前記チューブを前記キャリッジ内にガイドするチューブガイド部と、を備え、前記チューブガイド部における各チューブをガイドする部分の長さが、前記第１の方向において異なることを特徴とする。
【００１７】
本態様によれば、前記チューブガイド部における各チューブをガイドする部分の長さが、前記第１の方向において異なるので、前記チューブガイド部において前記チューブを折り返すことにより生じる復元力を受ける位置が変わり、当該受ける位置に応じて前記復元力の大きさも異なる。例えば、一のチューブとの係合位置で受ける復元力が他のチューブとの係合位置で受ける復元力よりも小さい場合、前記キャリッジに作用する前記複数のチューブ全体の復元力を小さくすることができるので、前記キャリッジがガイド部材等から浮き上がることを抑制できる。したがって、被記録媒体における記録品質の低下を抑制できる。
【００１８】
本発明の第５の態様の記録装置は、第２から第４のいずれか一の態様において、前記複数のチューブは少なくとも２組に分けられ、前記チューブガイド部における前記少なくとも２組のチューブの係合位置は、前記第１の方向においてずれていることを特徴とする。
【００１９】
本態様によれば、前記複数のチューブは少なくとも２組に分けられ、前記チューブガイド部における前記少なくとも２組のチューブの係合位置は、前記第１の方向においてずれている。例えば、前記チューブガイド部において一の組のチューブの係合位置に対して他の組のチューブの係合位置が前記反対方向側にずれている場合、前記チューブガイド部が前記一の組のチューブから受ける復元力より前記他の組のチューブから受ける復元力の方が小さくなる。その結果、前記チューブガイド部における復元力の合計値が、前記複数のチューブを前記第１の方向における同じ位置で受けた場合の復元力の合計値よりも小さくなる。これにより、前記キャリッジが受ける前記チューブの復元力が小さくなり、前記キャリッジがガイド部材等から浮き上がることを抑制できる。したがって、被記録媒体における記録品質の低下を抑制できる。
【００２０】
本発明の第６の態様の記録装置は、第２から第５のいずれか一の態様において、前記第１の方向に延びる案内部材と接触して前記案内部材上を摺動するとともに前記キャリッジにおいて前記第１の方向と交差する第２の方向における一方の側に設けられた摺動部材を備え、前記複数のチューブは前記チューブガイド部において前記第２の方向に沿って配列され、前記第２の方向において最も前記摺動部材寄りに配置されたチューブの前記チューブガイド部における係合位置は、他のチューブの係合位置よりも前記折り返し部側に位置することを特徴とする。
【００２１】
本態様によれば、前記複数のチューブは前記チューブガイド部において前記第１の方向と交差する第２の方向に沿って配列され、前記第２の方向において最も前記摺動部材寄りに配置されたチューブの前記チューブガイド部における係合位置は、他のチューブの係合位置よりも前記折り返し部側にある。つまり、前記チューブガイド部において複数のチューブから受ける復元力のうち、最も前記摺動部材寄りに配置されたチューブから受ける復元力が最大となる。一方で、前記第２の方向における前記摺動部材と前記摺動部材寄りに配置されたチューブの係合位置との距離は、前記摺動部材とその他のチューブの係合位置との距離より短くできる。したがって、最も復元力の大きいチューブを前記摺動部材寄りに配置することで、前記摺動部材を支点とするキャリッジを回転させようとするモーメントを小さくできる。その結果、前記キャリッジが前記案内部材から浮き上がることを抑制できる。したがって、被記録媒体における記録品質の低下を抑制できる。
【００２２】
本発明の第７の態様の記録装置は、第６の態様において、前記第２の方向において最も前記摺動部材寄りに配置されたチューブのチューブ径は、他のチューブのチューブ径よりも太いことを特徴とする。
【００２３】
本態様によれば、前記第２の方向において最も前記摺動部材寄りに配置されたチューブのチューブ径は、他のチューブのチューブ径よりも太いので、他のチューブと同じ半径で折り返すと、他のチューブよりも復元力が大きくなる。しかしながら、最もチューブ径の太いチューブが最も前記摺動部材寄りに配置されているので、前記第２の方向における前記摺動部材までの距離を最も短くすることができ、前記摺動部材を支点とする前記キャリッジを回転させようとするモーメントを小さくできる。その結果、前記キャリッジが前記案内部材から浮き上がることを抑制できる。したがって、被記録媒体における記録品質の低下を抑制できる。
【００２４】
本発明の第８の態様の記録装置は、第２から第５のいずれか一の態様において、前記複数のチューブは前記チューブガイド部において前記第１の方向と交差する第２の方向に沿って配列され、前記複数のチューブにおいて最も前記キャリッジから離れた位置に配置されたチューブのチューブ径は、他のチューブのチューブ径よりも太く、前記最も太いチューブの前記チューブガイド部における係合位置は、前記折り返し部に対して他のチューブの係合位置よりも離れていることを特徴とする。
【００２５】
本態様によれば、前記複数のチューブにおいて最も前記キャリッジから離れた位置に配置されたチューブのチューブ径は、他のチューブのチューブ径よりも太く、前記最も太いチューブの前記チューブガイド部における係合位置は、前記折り返し部に対して他のチューブの係合位置よりも離れている。すなわち、最も復元力の大きいチューブの係合位置を前記折り返し部から最も離すことにより復元力を小さくすることができる。その結果、前記キャリッジがガイド部材等から浮き上がることを抑制できる。したがって、被記録媒体における記録品質の低下を抑制できる。
【００２６】
本発明の第９の態様の記録装置は、第２から第５のいずれか一の態様において、前記第１の方向に延びる案内部材と接触して前記案内部材上を摺動するとともに前記キャリッジにおいて前記第１の方向と交差する第２の方向における一方の側に設けられた摺動部材を備え、前記複数のチューブは前記チューブガイド部において前記第２の方向に沿って配列され、前記複数のチューブにおいて最も前記摺動部材寄りに配置されたチューブのチューブ径は、他のチューブのチューブ径よりも太く、前記最も太いチューブの前記チューブガイド部における係合位置は、前記折り返し部に対して他のチューブの係合位置よりも離れていることを特徴とする。
【００２７】
本態様によれば、前記複数のチューブにおいて最も前記摺動部材寄りに配置されたチューブのチューブ径は、他のチューブのチューブ径よりも太く、前記最も太いチューブの前記チューブガイド部における係合位置は、前記折り返し部に対して他のチューブの係合位置よりも離れている。すなわち、最も復元力の大きいチューブの係合位置を前記折り返し部から最も離すことにより復元力を小さくすることができる。また、最も復元力の大きいチューブを最も前記摺動部材寄りに配置することにより、前記摺動部材を支点とするキャリッジを回転させようとするモーメントを小さくできる。その結果、前記キャリッジが前記案内部材から浮き上がることを抑制できる。したがって、被記録媒体における記録品質の低下を抑制できる。
【００２８】
本発明の第１０の態様の記録装置は、第２から第８のいずれか一の態様において、前記複数のチューブは前記チューブガイド部において前記第１の方向と交差する第２の方向に沿って配列され、各チューブの係合位置又は複数の組に分けられたチューブの係合位置は前記第２の方向において前記キャリッジから離れる順に前記折り返し部から離れていく、
ことを特徴とする。
【００２９】
本発明の第１１の態様の記録装置は、第２から第１０のいずれか一の態様において、前記複数のチューブの折り返し部の外周側において前記複数のチューブに沿って前記チューブガイド部から前記第１の方向に延び、前記折り返し部で折り返して反対方向に延びて、前記複数のチューブを保護するシート部材を備え、前記シート部材は、前記チューブガイド部から前記折り返し部側に延びる少なくとも１つのスリットを備え、前記スリットは前記第２の方向において前記複数のチューブ間、又は複数の組に分けられたチューブの組同士の間に設けられていることを特徴とする。
【００３０】
本態様によれば、前記シート部材は前記チューブガイド部から前記折り返し部側に延びる少なくとも１つのスリットを備え、前記スリットは前記第２の方向において前記複数のチューブ間、又は複数の組に分けられたチューブの組同士の間に設けられている。前記スリットは、前記キャリッジの前記第１の方向における移動に追従する前記複数のチューブの動きを妨げることを抑制する。したがって、前記キャリッジの動作を円滑にすることができ、被記録媒体の記録品質を向上させる。
【００３１】
本発明の第１２の態様の記録装置は、第１から第１１のいずれか一の態様において、前記キャリッジの上部に取り付けられ、少なくとも一部が前記チューブガイド部を覆うカバー部材を備え、前記カバー部材は、前記チューブと前記チューブガイド部との係合位置に対応して前記チューブガイド部の係合位置を覆うことを特徴とする。
【図面の簡単な説明】
【００３２】
【図１】本発明に係るプリンターの外観斜視図。
【図２】本発明に係るプリンターの内部構造を示す斜視図。
【図３】本発明に係るプリンターの内部構造を示す部分断面図。
【図４】第１の実施例に係るキャリッジの斜視図。
【図５】第１の実施例に係るキャリッジの平面図。
【図６】第１の実施例に係るキャリッジの側面図。
【図７】（Ａ）は第１の摺動部材を示す下面図であり、（Ｂ）は第１の案内部材と第１の摺動部材とを示す斜視図。
【図８】インクタンクからチューブ径変換部材までのインクチューブの経路を示す斜視図。
【図９】第１の実施例に係るキャリッジにおけるチューブガイド部とチューブの折り返し部との位置関係を示す説明図。
【図１０】チューブに発生する復元力と折り返し部からの距離との関係をしめすグラフ。
【図１１】チューブに発生する復元力と折り返し部からの距離との関係をしめす説明図。
【図１２】チューブガイド部が受ける復元力とモーメントとの関係を示す模式図。
【図１３】第２の実施例に係るキャリッジの斜視図。
【図１４】第２の実施例に係るキャリッジの平面図。
【図１５】第３の実施例に係るキャリッジにおけるチューブガイド部とチューブの折り返し部との位置関係を示す説明図。
【図１６】第４の実施例に係るキャリッジにおけるチューブガイド部とチューブの折り返し部との位置関係を示す説明図。
【発明を実施するための形態】
【００３３】
以下、本発明の実施の形態を図面に基づいて説明する。尚、各実施例において同一の構成については、同一の符号を付し、最初の実施例においてのみ説明し、以後の実施例においてはその構成の説明を省略する。
【００３４】
図１は本発明に係るプリンターの外観斜視図であり、図２は本発明に係るプリンターの内部構造を示す斜視図であり、図３は本発明に係るプリンターの内部構造を示す部分断面図であり、図４は第１の実施例に係るキャリッジの斜視図であり、図５は第１の実施例に係るキャリッジの平面図である。
【００３５】
図６は第１の実施例に係るキャリッジの側面図であり、図７は（Ａ）は第１の摺動部材を示す下面図であり、図７（Ｂ）は第１の案内部材と第１の摺動部材とを示す斜視図であり、図８はインクタンクからチューブ径変換部材までのインクチューブの経路を示す斜視図であり、図９は第１の実施例に係るキャリッジにおけるチューブガイド部とチューブの折り返し部との位置関係を示す説明図であり、図１０はチューブに発生する復元力と折り返し部からの距離との関係をしめすグラフである。
【００３６】
図１１はチューブに発生する復元力と折り返し部からの距離との関係をしめす説明図であり、図１２はチューブガイド部が受ける復元力とモーメントとの関係を示す模式図であり、図１３は第２の実施例に係るキャリッジの斜視図であり、図１４は第２の実施例に係るキャリッジの平面図であり、図１５は第３の実施例に係るキャリッジにおけるチューブガイド部とチューブの折り返し部との位置関係を示す説明図であり、図１６は第４の実施例に係るキャリッジにおけるチューブガイド部とチューブの折り返し部との位置関係を示す説明図である。
【００３７】
また、各図において示すＸ−Ｙ−Ｚ座標系は「第１の方向」としてのＸ方向（装置幅方向）が記録ヘッドの走査方向、「第２の方向」としてのＹ方向が記録装置の奥行き方向及び用紙搬送方向、Ｚ方向が「記録ヘッドと用紙との間の距離（ギャップ）の変化する方向」すなわち装置高さ方向を示している。尚、各図において−Ｙ方向を装置前面側とし、＋Ｙ方向側を装置背面側とする。
【００３８】
■■■第１の実施例■■■■
＜＜＜プリンターの概要＞＞＞
図１及び図２を参照して記録装置の一例としてのインクジェットプリンター１０（以下、プリンター１０という）について説明する。プリンター１０は装置本体１２と、画像読取装置１４とを備える複合機として構成されている。装置本体１２には、被記録媒体を収容する被記録媒体収容カセット１６と、「液体」としてのインクを収容する「液体収容部」としてのインクタンク１８とを備えている。
【００３９】
画像読取装置１４は、装置本体１２の上部に設けられたヒンジ２０（図２参照）を介して装置本体１２の上部に取り付けられている。画像読取装置１４は、ヒンジ２０を支点として装置本体１２に対して回動可能に構成されている。尚、本実施例において、ヒンジ２０は装置本体１２の背面側に設けられえており、画像読取装置１４は装置本体１２の正面側から背面側に向けて回動する。また、本実施例における画像読取装置１４は、一例としてスキャナーユニットとして構成されている。
【００４０】
被記録媒体収容カセット１６は、複数枚の被記録媒体を収容可能に構成され、装置本体１２の前面側（図１における−Ｙ軸方向側）から着脱可能に取り付けられている。尚、本明細書において被記録媒体とは、一例として普通紙や厚紙、写真用紙等の用紙を指している。
【００４１】
また、インクタンク１８は、装置本体１２の右側面（図１における−Ｘ軸方向側）においてインクを収容する大容量タンクとして複数設けられている（図８参照）。また、複数のインクタンク１８ａ、１８ｂ、１８ｃ、１８ｄは、一例として、黒、シアン、マゼンタ、イエローの各色に対応して設けられている。
【００４２】
次に図２及び図３を参照して、装置本体１２内の構成について説明する。装置本体１２内には、装置幅方向（図２におけるＸ軸方向）に移動自在なキャリッジ２２が設けられている。キャリッジ２２は、駆動モーター２４（図２参照）により駆動されるキャリッジ駆動機構２６により、装置幅方向に駆動させられる。
【００４３】
本実施例において、キャリッジ駆動機構２６は、駆動モーター２４に取り付けられた駆動プーリー（不図示）と、装置幅方向において該駆動プーリーと間隔をおいて設けられた従動プーリー２８と、前記駆動プーリーと従動プーリー２８とに掛け回された歯付きベルト３０とを備えている。歯付きベルト３０は、その一部がキャリッジ２２により把持されている。
【００４４】
したがって、駆動モーター２４により前記駆動プーリーが回転駆動させられると、歯付きベルト３０が駆動させられ、歯付きベルト３０の一部を把持するキャリッジ２２が装置幅方向に移動させられる。
【００４５】
また、キャリッジ２２の底部には、記録ヘッド３２が設けられている（図６参照）。さらに、キャリッジ２２の下方には、装置幅方向に延びる媒体支持部材３４が設けられている。媒体支持部材３４の少なくとも一部は、装置幅方向においてキャリッジ２２の移動領域内に設けられており、キャリッジ２２がキャリッジ２２の移動領域内において移動する際、媒体支持部材３４は記録ヘッド３２と対向する。
【００４６】
尚、媒体支持部材３４は、被記録媒体収容カセット１６から搬送されてきた被記録媒体を支持する。そして、記録ヘッド３２は、媒体支持部材３４に支持された用紙と対向する。また、媒体支持部材３４は、被記録媒体を下方から支持することにより、被記録媒体の記録面と記録ヘッド３２のヘッド面との間の距離（ギャップ）を規定する。また、記録ヘッド３２の被記録媒体と対向する面には、複数のノズル穴（不図示）が設けられ、当該ノズル穴からインクを被記録媒体の記録面に向けて吐出することにより被記録媒体に記録を実行する。
【００４７】
また、装置奥行き方向においてキャリッジ２２の装置背面側（搬送経路における上流側）には、搬送ローラー対３６が設けられている。搬送ローラー対３６は、搬送駆動ローラー３６ａと、搬送従動ローラー３６ｂとを備えている（図２参照）。
【００４８】
また、装置奥行き方向においてキャリッジ２２の装置正面側（搬送経路における下流側）には、排出ローラー対３８が設けられている。排出ローラー対３８は、排出駆動ローラー３８ａと、排出従動ローラー３８ｂとを備えている（図３参照）。本実施例において、排出従動ローラー３８ｂは拍車として構成され、装置本体１２に取り付けられた保持部材４０（図３参照）に回動可能に保持されている。
【００４９】
また、排出ローラー対３８に対して装置奥行き方向における装置正面側（搬送経路における下流側）には、排出スタッカー４２が設けられている。排出スタッカー４２には排出ローラー対３８により排出されてきた被記録媒体をスタックすることが可能である。
【００５０】
ここで、被記録媒体の搬送経路について説明すると、被記録媒体収容カセット１６に収容された被記録媒体は、図示しない給送手段により被記録媒体収容カセット１６から搬送経路下流側に位置する搬送ローラー対３６に向けて搬送される。そして、被記録媒体は搬送駆動ローラー３６ａと搬送従動ローラー３６ｂとにニップされ、搬送経路下流側に位置する媒体支持部材３４に向けて搬送される。次いで、媒体支持部材３４上に搬送された被記録媒体は、記録ヘッド３２により記録が実行される。そして、記録が実行された被記録媒体は、排出駆動ローラー３８ａと排出従動ローラー３８ｂとにニップされ、排出スタッカー４２に向けて排出される。
【００５１】
＜＜＜キャリッジの概要＞＞＞
次いで、図２ないし図１２を参照して、キャリッジ２２の概要について説明する。キャリッジ２２は、図６及び図８に示すように箱状の筐体４４と、筐体４４から装置奥行き方向において装置正面側に突出するアーム部４６と、筐体４４の底部に設けられた記録ヘッド３２と、筐体４４内に設けられた複数の接続アダプター４８と、筐体４４の上部に取り付けられるカバー部材５０とを備えている。
【００５２】
また、キャリッジ２２は、装置本体１２内において装置幅方向に往復動可能に構成されている。具体的には、図４及び図５に示すように装置本体１２に、装置幅方向に延びる「案内部材」としての第１の案内部材５２と、装置奥行き方向において第１の案内部材５２に対して装置正面側に距離をおいて配置され、装置幅方向に延びる第２の案内部材５４とが取り付けられている。本実施例において、第１の案内部材５２及び第２の案内部材５４はガイドレールとして構成されている。
【００５３】
本実施例において、第１の案内部材５２は図４及び図７（Ｂ）に示すように平坦部５２ａと、平坦部５２ａとから装置高さ方向に延びる倒立部５２ｂとを備え、平坦部５２ａ及び倒立部５２ｂはそれぞれ装置幅方向に延びている。
【００５４】
また、筐体４４には、装置奥行き方向における「一方の側」である装置背面側には、ギャップ調整手段５６（図７（Ｂ）参照）が設けられている。ギャップ調整手段５６は、図示しないがキャリッジ２２の装置高さ方向における位置を調整可能に構成されている。また、ギャップ調整手段５６には、「摺動部材」としての第１の摺動部５８が設けられている。
【００５５】
第１の摺動部５８には、第１の案内部材５２の平坦部５２ａと接触して摺動する水平摺動部位５８ａと、倒立部５２ｂと接触して摺動する倒立摺動部位５８ｂとを備えている（図６及び図７（Ａ）参照）。水平摺動部位５８ａは、第１の案内部材５２の平坦部５２ａにより装置高さ方向において支持されている。
【００５６】
また、筐体４４の装置背面側には、第１の案内部材５２の倒立部５２ｂを挟んで第１の摺動部５８の倒立摺動部位５８ｂと対向する位置に筐体摺動部４４ａが設けられている。すなわち、第１の案内部材５２の倒立部５２ｂは第１の摺動部５８の倒立摺動部位５８ｂと筐体摺動部４４ａとに挟み込まれた状態にある。
【００５７】
したがって、キャリッジ２２が装置幅方向に移動する際、キャリッジ２２は第１の案内部材５２の倒立部５２ｂに案内されるだけでなく、キャリッジ２２の装置奥行き方向への変位を規制できる。したがって、プリンター１０における被記録媒体に対する記録品質の低下を抑制できる。
【００５８】
また、アーム部４６は、図６に示すように、筐体４４から装置正面側に突出し、かつ突出した部分の先端で下方、すなわち第２の案内部材５４に向けて延びている。そして、アーム部４６には第２の案内部材５４と接触する部分に第２の摺動部６０が設けられている。つまり、キャリッジ２２は、第２の摺動部６０を介して第２の案内部材５４に支持されている。
【００５９】
したがって、キャリッジ２２は、装置高さ方向において第１の摺動部５８を介して第１の案内部材５２に支持されるとともに第２の摺動部６０を介して第２の案内部材５４に支持されている。
【００６０】
また、図８及び図９に示すようにキャリッジ２２の筐体４４の装置前面側にはチューブガイド部６２が設けられている。チューブガイド部６２は筐体４４の前面から装置前面側に突出しており、本実施例では４本のインクチューブ６４を筐体４４内に設けられた接続アダプター４８へとガイドする。尚、チューブガイド部６２については「チューブ」としてのインクチューブ６４の経路について説明した後、再度詳細に説明する。
【００６１】
また、図４及び図５に示すようにカバー部材５０は筐体４４の上部に取り付けられ、接続アダプター４８と後述するインクチューブ６４との接続部を覆っている。また、カバー部材５０は筐体４４の上方からチューブガイド部６２の上方に延びており、チューブガイド部６２の形状に対応してチューブガイド部６２の上部を覆っている。尚、本実施例においてチューブガイド部６２において後述する係合位置７２ａ、７２ｂ、７２ｃ、７２ｄの上方はカバー部材５０に覆われている。
【００６２】
＜＜＜インクの供給経路について＞＞＞
次に図３、図４及び図８を参照してインクの供給経路について説明する。キャリッジ２２の筐体４４内には、複数の接続アダプター４８が取り付けられている。尚、図８は接続アダプター４８を取り外した状態のキャリッジ２２を示している。本実施例では、黒、シアン、マゼンタ、イエローの各色に対応する接続アダプター４８ａ、４８ｂ、４８ｃ、４８ｄが筐体４４に取り付けられている。接続アダプター４８ａ、４８ｂ、４８ｃ、４８ｄは、それぞれインクタンク１８ａ、１８ｂ、１８ｃ、１８ｄから供給された各色のインクを記録ヘッド３２に供給する。
【００６３】
また、図８に示すようにインクタンク１８ａ、１８ｂ、１８ｃ、１８ｄは、装置奥行き方向に沿って整列させられている。本実施例では、黒色のインクを収容するインクタンク１８ａが最も装置正面側に位置し、装置背面側に向けてシアンを収容するインクタンク１８ｂ、マゼンタを収容するインクタンク１８ｃ、イエローを収容するインクタンク１８ｄの順番に整列している。
【００６４】
また、各インクタンク１８ａ、１８ｂ、１８ｃ、１８ｄから装置奥行き方向において装置正面側に向けてインクチューブ６６ａ、６６ｂ、６６ｃ、６６ｄが延出されている。各インクチューブ６６ａ、６６ｂ、６６ｃ、６６ｄは、装置奥行き方向においてインクタンク１８ａが設けられた領域において装置奥行き方向から装置幅方向においてインクタンク１８が設けられた側から反対側へ向きを変えて延びる。
【００６５】
また、図４及び図５を参照するに装置本体１２において第２の案内部材５４の上方には装置幅方向に延びるチューブ案内部材６８が設けられている。チューブ案内部材６８にはチューブ径変換部材７０が取り付けられている。各インクタンク１８ａ、１８ｂ、１８ｃ、１８ｄから装置奥行き方向に延出して装置幅方向に向きを変えたインクチューブ６６ａ、６６ｂ、６６ｃ、６６ｄは、チューブ径変換部材７０に接続されている。また、本実施例においてインクチューブ６４ａ、６４ｂ、６４ｃ、６４ｄの他端も、チューブ径変換部材７０に接続されている。尚、インクチューブ６４ａ、６４ｂ、６４ｃ、６４ｄの一端については後述する。
【００６６】
ここで、本実施例では、インクチューブ６４ｂ、６４ｃ、６４ｄの直径は、インクチューブ６６ｂ、６６ｃ、６６ｄの直径よりも細く設定されている。つまり、本実施例において、チューブ径変換部材７０は、チューブ径変換部材７０の一方の側に接続されるインクチューブ６４と他方の側に接続されるインクチューブ６６の直径寸法を変換するコネクタとして構成されている。
【００６７】
また、インクチューブ６４ａの直径は、インクチューブ６６ａの直径と同じ寸法に設定されている。つまり、本実施例おいてインクタンク１８ａ（黒色インク）から接続アダプター４８ａまでは同じ径のインクチューブ６４ａ、６６ａによりインクが供給される。
【００６８】
また、図４ないし図６に示すように、チューブ案内部材６８は装置奥行き方向において第１の摺動部５８と第２の摺動部６０との間、より具体的にはキャリッジ２２の筐体４４の装置正面側の端部と第２の摺動部６０との間に設けられている。つまり、インクタンク１８から延出されたインクチューブ６６及びインクチューブ６４は、装置奥行き方向において第１の摺動部５８と第２の摺動部６０との間においてアーム部４６の下方を通って装置幅方向に延びている。
【００６９】
また、チューブ径変換部材７０から延出したインクチューブ６４ａ、６４ｂ、６４ｃ、６４ｄは装置幅方向においてインクタンク１８が設けられた側と反対側にチューブ案内部材６８により案内されて延び、湾曲し折り返してインクタンク１８側に延びて、チューブガイド部６２と係合し、チューブガイド部６２にガイドされてキャリッジ２２内に引き込まれ、接続アダプター４８ａ、４８ｂ、４８ｃ、４８ｄにインクチューブ６４ａ、６４ｂ、６４ｃ、６４ｄ一端がそれぞれ接続されている。つまり、インクチューブ６４はアーム部４６の下方を通って湾曲し、上下方向で折り返してアーム部の上方を通り、接続アダプター４８に接続されている。
【００７０】
したがって、インクタンク１８に収容されたインクは、インクチューブ６６、チューブ径変換部材７０、インクチューブ６４及び接続アダプター４８を介して記録ヘッド３２に供給される。
【００７１】
＜＜＜チューブガイド部とインクチューブとの関係について＞＞＞
図３、図４、図８ないし図１２を参照してチューブガイド部６２とインクチューブ６４の関係について説明する。チューブガイド部６２は、ガイドするインクチューブ６４の本数に応じて、インクチューブ６４を収容するガイド溝７２が形成されている。ガイド溝７２は一方の端部がキャリッジ２２の筐体４４内と連通しており、他方の端部は一方の端部から装置前方側かつ装置幅方向へ湾曲しながら装置幅方向に延びて、装置本体１２内に形成される空間と連通している。尚、前記空間は本実施例ではキャリッジ２２の移動領域をなす空間である。
【００７２】
また、本実施例における複数のガイド溝７２は、装置幅方向においてインクチューブ６４をガイドする部分の長さが装置幅方向において異なるように設定されている。具体的には図９に示すようにチューブガイド部６２のガイド溝７２においてインクチューブ６４をガイドする複数の部分は、装置前面側に向かうとともに順番に装置幅方向に短くなり、装置幅方向において複数の段部を形成している。
【００７３】
また、ガイド溝７２内には、図示しないが爪状部材が設けられている。ガイド溝７２内にインクチューブ６４を収容すると、この爪状部材がインクチューブ６４と係合する。これにより、チューブガイド部６２とインクチューブ６４とが係合するとともにガイド溝７２内に収容されたインクチューブ６４のガイド溝７２からの脱落を防止する。
【００７４】
ここで、本実施例において前記爪状部材はガイド溝７２内においてガイド溝７２が延びる方向に適宜設けられている。尚、本実施例では、インクチューブ６４とガイド溝７２との係合する位置を説明のために、ガイド溝７２において装置本体１２内の空間と連通する側の端部をチューブガイド部６２におけるインクチューブ６４との係合位置としている。
【００７５】
本実施例では、図８及び図９に示すようにガイド溝７２における他方の端部をチューブガイド部６２におけるインクチューブ６４ａ、６４ｂ、６４ｃ、６４ｄにそれぞれ対応する係合位置７２ａ、７２ｂ、７２ｃ、７２ｄとしている。
【００７６】
また、図３及び図４に示すようにインクチューブ６４はチューブガイド部６２の＋Ｘ軸方向側で湾曲して折り返している。ここで、インクチューブ６４の折り返し部７４は、直径Ｄの寸法で湾曲している。また、インクチューブ６４を折り返すことによりインクチューブ６４にはインクチューブ６４を元の状態に戻そうとする復元力Ｆが生じている。
【００７７】
ここで、図１０を参照して、インクチューブ６４における復元力Ｆについて説明する。尚、図１０における実線はインクチューブ１本に生じる復元力を示し、一点鎖線はインクチューブ４本の復元力の合計値を示している。インクチューブ６４の折り返し部７４からの距離がＬ０となる位置で復元力Ｆは最大値となる。そして、折り返し部７４からの距離がＬ０より長くなるにつれ、復元力Ｆは徐々に減少する。尚、図１０における復元力Ｆはインクチューブ６４の折り返し部７４における湾曲の径寸法が直径Ｄである状態の復元力である。
【００７８】
本実施例において、図９及び図１１に示すように、キャリッジ２２のチューブガイド部６２におけるインクチューブ６４ａ、６４ｂ、６４ｃ、６４ｄとの係合位置７２ａ、７２ｂ、７２ｃ、７２ｄは、装置幅方向おいて−Ｘ軸方向側にずれて配置され、折り返し部７４からそれぞれ距離Ｌ１、Ｌ２、Ｌ３、Ｌ４の位置に設けられている。そして、本実施例において距離Ｌ０、Ｌ１、Ｌ２、Ｌ３、Ｌ４は、Ｌ０＜Ｌ１＜Ｌ２＜Ｌ３＜Ｌ４の関係にある。
【００７９】
また、図１１に示すようにキャリッジ２２は、チューブガイド部６２における係合位置７２ａ、７２ｂ、７２ｃ、７２ｄにおいてインクチューブ６４ａ、６４ｂ、６４ｃ、６４ｄから復元力Ｆ１、Ｆ２、Ｆ３、Ｆ４をそれぞれ受けている。
【００８０】
ここで、本実施例では、同じチューブ径を有するインクチューブ６４ｂ、６４ｃ、６４ｄにおいて折り返し部７４からの距離が長くなるにつれて復元力Ｆは小さくなるので、係合位置７２ｂ、７２ｃ、７２ｄにおける復元力Ｆ２、Ｆ３、Ｆ４は、Ｆ２＞Ｆ３＞Ｆ４の関係にある。したがって、チューブガイド部６２における係合位置７２ｄに作用する復元力Ｆ４は、係合位置７２ｂ、７２ｃに作用する復元力Ｆ２、Ｆ３よりも小さくなる。
【００８１】
また、本実施例においてインクチューブ６４ａのチューブ径は、インクチューブ６４ｂ、６４ｃ、６４ｄのチューブ径よりも太く設定されている。ここで、インクチューブ６４の折り返し部７４の直径Ｄはインクチューブ６４ａ、６４ｂ、６４ｃ、６４ｄにおいて同じに設定されているので、インクチューブ６４ａの中立軸における径寸法は他のインクチューブ６４ｂ、６４ｃ、６４ｄよりも小さくなるので、インクチューブ６４ａの復元力Ｆ１は他のインクチューブ６４ｂ、６４ｃ、６４ｄに生じる復元力Ｆ２、Ｆ３、Ｆ４よりも大きくなる。
【００８２】
ここで、図１２を参照するに、インクチューブ６４ａは装置前後方向において最も第１の摺動部５８寄りに配置されている。そして、係合位置７２ａには、キャリッジ２２を持ち上げようとする方向に復元力Ｆ１が作用している。このため、キャリッジ２２には第１の摺動部５８を支点として回転モーメントＮ１が作用する。回転モーメントＮ１は、用紙搬送方向における係合位置７２ａと第１の摺動部５８との距離をＬ５とすると、Ｎ１＝Ｆ１×Ｌ５で示される。尚、本実施例では説明の簡略化のため回転モーメントＮ１の長さ成分を図１２における用紙搬送方向における距離Ｌ５とした。
【００８３】
次に、例えばインクチューブ６４ａを装置前後方向において最も第１の摺動部５８から離れた位置に配置する（図１１における二点鎖線部参照）と、その係合位置と第１の摺動部５８との距離はＬ６となる。そして、この状態で、キャリッジ２２に作用する回転モーメントＮ２は、Ｆ１×Ｌ６となる。図１１に示すように距離Ｌ６は距離Ｌ５よりも長いので、回転モーメントＮ２も回転モーメントＮ１より大きくなる。尚、本実施例では説明の簡略化のため回転モーメントＮ２の長さ成分を図１２における用紙搬送方向における距離Ｌ６とした。
【００８４】
本実施例では、４本のインクチューブ６４ａ、６４ｂ、６４ｃ、６４ｄにおいて最もチューブ径の大きい、すなわち復元力Ｆが大きいインクチューブ６４ａを装置前後方向において第１の摺動部５８寄りに配置することにより、キャリッジ２２に作用する回転モーメントを小さくすることができる。
【００８５】
本実施例において、チューブガイド部６２におけるインクチューブ６４との係合位置は、装置幅方向において復元力Ｆが最大となる位置Ｌ０から外れているので、チューブガイド部６２、ひいてはキャリッジ２２が受けるインクチューブ６４の復元力Ｆが小さくなる。その結果、キャリッジ２２が第１の案内部材５２及び第２の案内部材５４から浮き上がることを抑制できる。したがって、被記録媒体における記録品質の低下を抑制できる。
【００８６】
本実施例において、チューブガイド部６２における各インクチューブ６４ａ、６４ｂ、６４ｃ、６４ｄの係合位置７２ａ、７２ｂ、７２ｃ、７２ｄは、装置幅方向においてずれている。例えば、チューブガイド部６２におけるインクチューブ６４ｂとの係合位置７２ｂに対して他のインクチューブ６４ｃとの係合位置７２ｃが装置幅方向における−Ｘ軸方向の側にずれている場合、チューブガイド部６２が一のインクチューブ６４ｂから受ける復元力Ｆ２より他のインクチューブ６４ｃから受ける復元力Ｆ３の方が小さくなる。その結果、チューブガイド部６２における復元力Ｆの合計値が、複数のインクチューブ６４ａ、６４ｂ、６４ｃ、６４ｄを装置幅方向における同じ位置で受けた場合の復元力Ｆの合計値よりも小さくなる。これにより、キャリッジ２２が受けるインクチューブ６４の復元力Ｆが小さくなり、キャリッジ２２が第１の案内部材５２及び第２の案内部材５４から浮き上がることを抑制できる。したがって、被記録媒体における記録品質の低下を抑制できる。
【００８７】
また、本実施例においてチューブガイド部６２における各インクチューブ６４ａ、６４ｂ、６４ｃ、６４ｄをガイドする部分の長さが装置幅方向において異なり、チューブガイド部６２における各インクチューブ６４ａ、６４ｂ、６４ｃ、６４ｄの係合位置７２ａ、７２ｂ、７２ｃ、７２ｄは、装置幅方向においてずれている。つまり、チューブガイド部６２においてインクチューブ６４を折り返すことにより生じる復元力Ｆを受ける位置が変わるので、受ける位置により復元力Ｆの大きさも異なる。例えば、一のインクチューブ６４ｂとの係合位置７２ｂで受ける復元力Ｆ２が他のインクチューブ６４ｃとの係合位置７２ｃで受ける復元力Ｆ３よりも小さい場合、キャリッジ２２に作用する複数のインクチューブ６４全体の復元力Ｆを小さくすることができるので、キャリッジ２２が第１の案内部材５２及び第２の案内部材５４から浮き上がることを抑制できる。したがって、被記録媒体における記録品質の低下を抑制できる。
【００８８】
また、本実施例において複数のインクチューブ６４ａ、６４ｂ、６４ｃ、６４ｄはチューブガイド部６２において装置幅方向と交差する装置前後方向に沿って配列され、装置前後方向において最も第１の摺動部５８寄りに配置されたインクチューブ６４ａのチューブガイド部６２における係合位置７２ａは、他のインクチューブ６４ｂ、６４ｃ、６４ｄの係合位置７２ｂ、７２ｃ、７２ｄよりも折り返し部７４側にある。
【００８９】
つまり、チューブガイド部６２において複数のインクチューブ６４ａ、６４ｂ、６４ｃ、６４ｄから受ける復元力Ｆ１、Ｆ２、Ｆ３、Ｆ４のうち、最も第１の摺動部５８寄りに配置されたインクチューブ６４ａから受ける復元力Ｆ１が最大となる。一方で、装置前後方向における第１の摺動部５８と第１の摺動部５８寄りに配置されたインクチューブ６４ａの係合位置７２ａとの距離Ｌ５は、第１の摺動部５８とその他のインクチューブ６４ｂ、６４ｃ、６４ｄの係合位置７２ｂ、７２ｃ、７２ｄとの距離より短くできる。
【００９０】
したがって、最も復元力Ｆの大きいインクチューブ６４ａを第１の摺動部５８寄りに配置することで、第１の摺動部５８を支点とするキャリッジ２２を回転させようとする回転モーメントＮ１を小さくできる。その結果、キャリッジ２２が第１の案内部材５２及び第２の案内部材５４から浮き上がることを抑制できる。したがって、被記録媒体における記録品質の低下を抑制できる。
【００９１】
また、本実施例において装置前後方向において最も第１の摺動部５８寄りに配置されたインクチューブ６４ａのチューブ径は、他のインクチューブ６４ｂ、６４ｃ、６４ｄのチューブ径よりも太いので、他のインクチューブ６４ｂ、６４ｃ、６４ｄと同じ半径で折り返すと、他のインクチューブ６４ｂ、６４ｃ、６４ｄよりも復元力Ｆが大きくなる。しかしながら、最もチューブ径の太いインクチューブ６４ａが最も第１の摺動部５８寄りに配置されているので、装置前後方向における第１の摺動部５８までの距離を最も短くすることができ、第１の摺動部５８を支点とするキャリッジ２２を回転させようとする回転モーメントＮ１を小さくできる。その結果、キャリッジ２２が第１の案内部材５２及び第２の案内部材５４から浮き上がることを抑制できる。したがって、被記録媒体における記録品質の低下を抑制できる。
【００９２】
＜＜＜第１の実施例の変更例＞＞＞
（１）本実施例において、装置前後方向において最も第１の摺動部５８寄りに配置したインクチューブ６４ａのチューブ径を他のインクチューブ６４ｂ、６４ｃ、６４ｄよりも太くしたが、この構成に代えて、全てのインクチューブ６４ａ、６４ｂ、６４ｃ、６４ｄのチューブ径を同じ大きさとしてもよい。
（２）また、本実施例において、各インクチューブ６４ａ、６４ｂ、６４ｃ、６４ｄの係合位置７２ａ、７２ｂ、７２ｃ、７２ｄを装置幅方向において全てずらして配置する構成としたが、インクチューブ６４ａ、６４ｂ、６４ｃ、６４ｄを複数の組に分けて、それらの組の係合位置は装置幅方向において同じ位置となるように構成してもよい。
（３）また、本実施例において、キャリッジ２２の上部にカバー部材５０を設ける構成としたが、この構成に代えて、キャリッジ２２の上部にカバー部材５０を設けず、接続アダプター４８及びインクチューブ６４を露出させる構成としてもよい。
（４）また、本実施例においてインクチューブ６４ａの直径は、インクチューブ６６ａの直径と同じ寸法に設定したが、この構成に代えて、インクチューブ６４ａの直径をインクチューブ６６ａの直径と異なる寸法に設定してもよい。
（５）本実施例においてインクチューブ６４はそれぞれ独立したインクチューブとする構成としたが、この構成に代えて、全ての色のインクチューブを並列に繋いだ多連チューブでもよく、黒色以外のインクチューブを並列に繋いだ多連チューブとしてもよい。また、黒色以外のインクチューブを多連チューブとした場合、黒色のインクチューブと多連チューブとから成り、２組のインクチューブとしての構成に含まれる。
（６）本実施例において、ガイド溝７２においてインクチューブ６４をガイドする複数の部分は、装置前面側に向かうとともに順番に装置幅方向に短くなり、装置幅方向において複数の段部を形成するように構成したが、この構成に代えて、装置背面側に向かうとともに順番に装置幅方向に短くなり、装置幅方向において複数の段部を形成するように構成してもよく、あるいは、インクチューブ６４をガイドする複数の部分において装置奥行き方向中寄りに配置されたガイド部分を装置前面側及び背面側に配置されたガイド部分よりも長く形成する（凸状）ように構成してもよく、装置奥行き方向中寄りに配置されたガイド部分を装置前面側及び背面側に配置されたガイド部分よりも短く形成する（凹状）ように構成してもよい。
【００９３】
■■■第２の実施例■■■■
次いで、図１３及び図１４を参照してプリンター１０の第２の実施例について説明する。本実施例では、インクチューブ６４を保護するシート部材を備えている点で第１の実施例と異なる。その他の構成は第１の実施例と同じ構成であるので説明を省略する。
【００９４】
インクチューブ６４において折り返し部７４の外周側には、シート部材７６が設けられている。具体的には、シート部材７６は、チューブ案内部材６８とインクチューブ６４との間で装置幅方向に延びて、折り返し部７４の外周側を経て折り返し部７４からチューブガイド部６２まで延びている。本実施例において、シート部材７６は可撓性の樹脂で構成されており、一例としてＰＥＴ（ポリエチレンテレフタラート）樹脂から形成されている。
【００９５】
ここで、キャリッジ２２が装置幅方向に往復動する際、インクチューブ６４もキャリッジの移動に応じて装置幅方向に追従変形する。この際、インクチューブ６４とチューブ案内部材６８との間にシート部材７６が設けられているので、インクチューブ６４がチューブ案内部材６８と接触して摩耗することを抑制できる。
【００９６】
また、インクチューブ６４において折り返し部７４からチューブガイド部６２までの経路において図示しないがインクチューブ６４の上方には画像読取装置１４が配置されている。インクチューブ６４と画像読取装置１４との間にはシート部材７６が配置されており、キャリッジ２２が装置幅方向に移動する際、インクチューブ６４が画像読取装置１４に接触して摩耗することを抑制できる。
【００９７】
また、シート部材７６には、装置幅方向においてチューブガイド部６２から折り返し部７４に向けて延びる少なくとも１つ以上のスリット７８が設けられている。本実施例においてスリット７８は、装置前後方向において各インクチューブ６４ａ、６４ｂ、６４ｃ、６４ｄの間に設けられている。
【００９８】
本実施例において、各スリット７８は各インクチューブ６４ａ、６４ｂ、６４ｃ、６４ｄの間に設けられているので、キャリッジ２２の移動に伴うインクチューブ６４の追従変形の際、各インクチューブ６４ａ、６４ｂ、６４ｃ、６４ｄのそれぞれの動きにシート部材７６が対応することができる。すなわち、スリット７８は、キャリッジ２２の装置幅方向における移動に追従する複数のインクチューブ６４ａ、６４ｂ、６４ｃ、６４ｄの動きを妨げることを抑制する。したがって、キャリッジ２２の動作を円滑にすることができ、被記録媒体の記録品質を向上させる。したがって、被記録媒体における記録品質の低下を抑制できる。
【００９９】
＜＜＜第２の実施例の変更例＞＞＞
本実施例においてスリット７８は各インクチューブ６４ａ、６４ｂ、６４ｃ、６４ｄの間に設ける構成としたが、この構成に代えて、インクチューブ６４ａ、６４ｂ、６４ｃ、６４ｄを例えば、インクチューブ６４ａ、６４ｂの組とインクチューブ６４ｃ、６４ｄの組に分けて、インクチューブ６４ａ、６４ｂの組とインクチューブ６４ｃ、６４ｄの組との間にスリット７８を設ける構成としてもよい。
【０１００】
■■■第３の実施例■■■■
次いで、図１５を参照してプリンター１０の第３の実施例について説明する。本実施例では、最もチューブ径の太いインクチューブが装置前後方向においてキャリッジ２２から最も離れるように配置されている点で第１の実施例と異なる。その他の構成は第１の実施例と同じ構成であるので説明を省略する。
【０１０１】
本実施例において、図示しないがインクチューブ８０はインクチューブ６６を介してインクタンク１８に接続されている。また、インクチューブ８０ａ、８０ｂ、８０ｃ、８０ｄは接続アダプター４８ａ、４８ｂ、４８ｃ、４８ｄにそれぞれ接続されている。本実施例において、インクチューブ８０ｄのチューブ径は、他のインクチューブ８０ａ、８０ｂ、８０ｃのチューブ径よりも太く設定されている。
【０１０２】
本実施例において、最も太いチューブ径のインクチューブ８０ｄとチューブガイド部６２との係合位置７２ｄはキャリッジ２２の筐体４４から装置前後方向において最もキャリッジ２２の筐体４４から離れた位置に配置されている。また、係合位置７２ｄは、装置幅方向において、折り返し部７４に対して他の係合位置７２ａ、７２ｂ、７２ｃよりも離れている。すなわち、最も復元力Ｆの大きいインクチューブ８０ｄの係合位置７２ｄを折り返し部７４から最も離すことにより復元力Ｆを小さくすることができる。その結果、キャリッジ２２が第１の案内部材５２及び第２の案内部材５４から浮き上がることを抑制できる。したがって、被記録媒体における記録品質の低下を抑制できる。
【０１０３】
■■■第４の実施例■■■■
次いで、図１６を参照してプリンター１０の第４の実施例について説明する。本実施例では、最もキャリッジ２２の筐体４４寄りの係合位置７２ａが他の係合位置７２ｂ、７２ｃ、７２ｄよりも折り返し部７４から離れている点で第１の実施例と異なる。その他の構成は第１の実施例と同じ構成であるので説明を省略する。
【０１０４】
本実施例では、最も太いチューブ径を有するインクチューブ６４ａが、装置前後方向において最も第１の摺動部５８寄りに配置されている。また、他のインクチューブ６４ｂ、６４ｃ、６４ｄは順番に第１の摺動部５８から離れるように配置されている。
【０１０５】
また、本実施例ではチューブガイド部６２におけるインクチューブ６４ａとの係合位置７２ａは装置幅方向において折り返し部７４から距離Ｌ７に位置している。また、本実施例では、インクチューブ６４ｂ、６４ｃ、６４ｄを一組のインクチューブとして、チューブガイド部６２におけるインクチューブ６４ｂ、６４ｃ、６４ｄの係合位置７２ｂ、７２ｃ、７２ｄを装置幅方向において折り返し部７４から同じ距離Ｌ８に位置させている。
【０１０６】
したがって、インクチューブ６４ｂ、６４ｃ、６４ｄの係合位置７２ｂ、７２ｃ、７２ｄにおいてチューブガイド部６２に作用する復元力Ｆ２、Ｆ３、Ｆ４は同じ大きさの力となる。また、係合位置７２ａと折り返し部７４との距離Ｌ７は、他の係合位置７２ｂ、７２ｃ、７２ｄと折り返し部７４との距離Ｌ８よりも長い。したがって、本実施例においてインクチューブ６４ａにおける係合位置７２ａにおける復元力Ｆ１は、他のインクチューブ６４ｂ、６４ｃ、６４ｄの係合位置７２ｂ、７２ｃ、７２ｄにおける復元力Ｆ２、Ｆ３、Ｆ４よりも小さくなる。
【０１０７】
また、本実施例では、インクチューブ６４ａは装置前後方向において最も第１の摺動部５８寄りに配置されているので、インクチューブ６４ａと第１の摺動部５８との距離が他のインクチューブ６４ｂ、６４ｃ、６４ｄと第１の摺動部５８との距離よりも短くなる（図１２参照）ので、係合位置７２ａにおけるキャリッジ２２に作用する回転モーメントＮ１が小さくなる。
【０１０８】
すなわち、最も復元力Ｆの大きいインクチューブ６４ａの係合位置７２ａを折り返し部７４から最も離すことにより復元力Ｆ１を小さくすることができる。また、最も復元力の大きいインクチューブ６４ａを最も第１の摺動部５８寄りに配置することにより、第１の摺動部５８を支点とするキャリッジ２２を回転させようとする回転モーメントＮ１を小さくできる。その結果、キャリッジ２２が第１の案内部材５２及び第２の案内部材５４から浮き上がることを抑制できる。したがって、被記録媒体における記録品質の低下を抑制できる。
【０１０９】
＜＜＜第４の実施例の変更例＞＞＞
本実施例において、装置前後方向において最も第１の摺動部５８寄りに配置したインクチューブ６４ａのチューブ径を他のインクチューブ６４ｂ、６４ｃ、６４ｄよりも太くしたが、この構成に代えて、全てのインクチューブ６４ａ、６４ｂ、６４ｃ、６４ｄのチューブ径を同じ大きさとしてもよい。
【０１１０】
このように、全てのインクチューブ６４ａ、６４ｂ、６４ｃ、６４ｄのチューブ径を同じ大きさとして構成した場合において、複数のインクチューブ６４ａ、６４ｂ、６４ｃ、６４ｄを少なくとも２組に分け、チューブガイド部６２における少なくとも２組のチューブの係合位置７２ａと係合位置７２ｂ（７２ｃ、７２ｄ）を、装置幅方向においてずらす。この変更例では、チューブガイド部６２において一の組のインクチューブ６４ｂ、６４ｃ、６４ｄの係合位置７２ｂ、７２ｃ、７２ｄに対して他の組のインクチューブ６４ａの係合位置７２ａが装置幅方向における−Ｘ軸方向側にずれている場合、チューブガイド部６２が一の組のインクチューブ６４ｂ、６４ｃ、６４ｄから受ける復元力Ｆ２、Ｆ３、Ｆ４より他の組のインクチューブ６４ａから受ける復元力Ｆ１の方が小さくなる。
【０１１１】
その結果、チューブガイド部６２における復元力Ｆの合計値が、複数のインクチューブ６４ａ、６４ｂ、６４ｃ、６４ｄを装置幅方向における同じ位置で受けた場合の復元力Ｆの合計値よりも小さくなる。これにより、キャリッジ２２が受けるインクチューブ６４ａ、６４ｂ、６４ｃ、６４ｄの復元力Ｆが小さくなり、キャリッジ２２が第１の案内部材５２及び第２の案内部材５４から浮き上がることを抑制できる。したがって、被記録媒体における記録品質の低下を抑制できる。
【０１１２】
上記説明をまとめると、本実施例におけるプリンター１０は、被記録媒体にインクを吐出して記録を行う記録ヘッド３２と、記録ヘッド３２が設けられ、装置幅方向に沿って移動可能なキャリッジ２２と、インクを収容するインクタンク１８と、インクタンク１８から送出されるインクをキャリッジ２２に供給するインクチューブ６４であって、キャリッジ２２内に導かれる一端及び一端からキャリッジ２２の外に延出して装置幅方向に延び、折り返して反対方向に延びる他端を有するインクチューブ６４と、キャリッジ２２から延出し、インクチューブ６４と係合し、かつインクチューブ６４をキャリッジ２２内にガイドするチューブガイド部６２とを備えている。インクチューブ６４を折り返すことによりインクチューブに生じた復元力Ｆは装置幅方向において折り返し部７４から装置幅方向−Ｘ軸方向側に離れた位置Ｌ０で最大となるとともに当該最大となる位置Ｌ０から−Ｘ軸方向に離れるにつれて減少する。チューブガイド部６２におけるインクチューブ６４との係合位置７２ａ、７２ｂ、７２ｃ、７２ｄは、装置幅方向において復元力Ｆが最大となる位置から外れている。
【０１１３】
また、プリンター１０においてインクチューブ６４は複数設けられ、チューブガイド部６２における各インクチューブ６４ａ、６４ｂ、６４ｃ、６４ｄの係合位置７２ａ、７２ｂ、７２ｃ、７２ｄは、装置幅方向においてずれている。
【０１１４】
また、プリンター１０は被記録媒体にインクを吐出して記録を行う記録ヘッド３２と、記録ヘッド３２が設けられ、装置幅方向に沿って移動可能なキャリッジ２２と、インクを収容するインクタンク１８と、インクタンク１８から送出されるインクをキャリッジ２２に供給する複数のインクチューブ６４ａ、６４ｂ、６４ｃ、６４ｄであって、キャリッジ２２内に導かれる一端及び一端からキャリッジ２２の外に延出して装置幅方向に延び、折り返して装置幅方向−Ｘ軸方向に延びる他端を有するインクチューブ６４ａ、６４ｂ、６４ｃ、６４ｄと、キャリッジ２２から延出し、インクチューブ６４ａ、６４ｂ、６４ｃ、６４ｄと係合し、かつインクチューブ６４ａ、６４ｂ、６４ｃ、６４ｄをキャリッジ２２内にガイドするチューブガイド部６２とを備えている。チューブガイド部６２における各インクチューブ６４ａ、６４ｂ、６４ｃ、６４ｄの係合位置７２ａ、７２ｂ、７２ｃ、７２ｄは、装置幅方向においてずれている。
【０１１５】
また、プリンター１０は被記録媒体にインクを吐出して記録を行う記録ヘッド３２と、記録ヘッド３２が設けられ、装置幅方向に沿って移動可能なキャリッジ２２と、インクを収容するインクタンク１８と、インクタンク１８から送出されるインクをキャリッジ２２に供給する複数のインクチューブ６４ａ、６４ｂ、６４ｃ、６４ｄであって、キャリッジ２２内に導かれる一端及び一端からキャリッジ２２の外に延出して装置幅方向に延び、折り返して装置幅方向−Ｘ軸方向に延びる他端を有するインクチューブ６４ａ、６４ｂ、６４ｃ、６４ｄと、キャリッジ２２から延出し、インクチューブ６４ａ、６４ｂ、６４ｃ、６４ｄと係合し、かつインクチューブ６４ａ、６４ｂ、６４ｃ、６４ｄをキャリッジ２２内にガイドするチューブガイド部６２とを備えている。チューブガイド部６２における各インクチューブ６４ａ、６４ｂ、６４ｃ、６４ｄをガイドする部分の長さが、装置幅方向において異なる。
【０１１６】
また、プリンター１０において複数のインクチューブ６４ａ、６４ｂ、６４ｃ、６４ｄは少なくとも２組に分けられ、チューブガイド部６２における少なくとも２組のインクチューブ６４ａ、６４ｂ、６４ｃ、６４ｄの係合位置７２ａ、７２ｂ、７２ｃ、７２ｄは、装置幅方向においてずれている。
【０１１７】
また、プリンター１０は装置幅方向に延びる第１の案内部材５２と接触して第１の案内部材５２上を摺動するとともにキャリッジ２２において装置幅方向と交差する装置前後方向における背面側に設けられた第１の摺動部５８を備えている。複数のインクチューブ６４ａ、６４ｂ、６４ｃ、６４ｄはチューブガイド部６２において装置前後方向に沿って配列されている。装置前後方向において最も第１の摺動部５８寄りに配置されたインクチューブ６４ａのチューブガイド部６２における係合位置７２ａは、他のインクチューブ６４ｂ、６４ｃ、６４ｄの係合位置７２ｂ、７２ｃ、７２ｄよりも折り返し部７４側に位置する。装置前後方向において最も第１の摺動部５８寄りに配置されたインクチューブ６４ａのチューブ径は、他のインクチューブ６４ｂ、６４ｃ、６４ｄのチューブ径よりも太い。
【０１１８】
プリンター１０において、複数のインクチューブ８０ａ、８０ｂ、８０ｃ、８０ｄはチューブガイド部６２において装置幅方向と交差する装置前後方向に沿って配列されている。複数のインクチューブ８０ａ、８０ｂ、８０ｃ、８０ｄにおいて最もキャリッジ２２から離れた位置に配置されたインクチューブ８０ｄのチューブ径は、他のインクチューブ８０ａ、８０ｂ、８０ｃのチューブ径よりも太く、最も太いインクチューブ８０ｄのチューブガイド部６２における係合位置７２ｄは、折り返し部７４に対して他のインクチューブ８０ａ、８０ｂ、８０ｃの係合位置７２ａ、７２ｂ、７２ｃよりも離れている。
【０１１９】
また、プリンター１０は装置幅方向に延びる第１の案内部材５２と接触して第１の案内部材５２上を摺動するとともにキャリッジ２２において装置幅方向と交差する装置前後方向における背面側に設けられた第１の摺動部５８を備えている。複数のインクチューブ６４ａ、６４ｂ、６４ｃ、６４ｄはチューブガイド部６２において装置前後方向に沿って配列されている。複数のインクチューブ６４ａ、６４ｂ、６４ｃ、６４ｄにおいて最も第１の摺動部５８寄りに配置されたインクチューブ６４ａのチューブ径は、他のインクチューブ６４ｂ、６４ｃ、６４ｄのチューブ径よりも太く、最も太いインクチューブ６４ａのチューブガイド部６２における係合位置７２ａは、折り返し部７４に対して他のインクチューブ６４ｂ、６４ｃ、６４ｄの係合位置７２ｂ、７２ｃ、７２ｄよりも離れている。
【０１２０】
また、プリンター１０において複数のインクチューブ６４ａ、６４ｂ、６４ｃ、６４ｄはチューブガイド部６２において装置幅方向と交差する装置前後方向に沿って配列されている。各インクチューブ６４ａ、６４ｂ、６４ｃ、６４ｄの係合位置７２ａ、７２ｂ、７２ｃ、７２ｄ又は複数の組に分けられたインクチューブ６４ａ、６４ｂ、６４ｃ、６４ｄの係合位置７２ａ、７２ｂ、７２ｃ、７２ｄは装置前後方向においてキャリッジ２２から離れる順に折り返し部７４から離れていく。
【０１２１】
また、プリンター１０は複数のインクチューブ６４ａ、６４ｂ、６４ｃ、６４ｄの折り返し部７４の外周側において複数のインクチューブ６４ａ、６４ｂ、６４ｃ、６４ｄに沿ってチューブガイド部６２から装置幅方向に延び、折り返し部７４で折り返して反対方向に延びて、複数のインクチューブ６４ａ、６４ｂ、６４ｃ、６４ｄを保護するシート部材７６を備えている。シート部材７６は、チューブガイド部６２から折り返し部７４側に延びる少なくとも１つのスリット７８を備えている。スリット７８は装置前後方向において複数のインクチューブ６４ａ、６４ｂ、６４ｃ、６４ｄ間、又は複数の組に分けられたインクチューブ６４ａ、６４ｂ、６４ｃ、６４ｄの組同士の間に設けられている。
【０１２２】
また、プリンター１０はキャリッジ２２の上部に取り付けられ、少なくとも一部がチューブガイド部６２を覆うカバー部材５０を備えている。カバー部材５０は、インクチューブ６４ａ、６４ｂ、６４ｃ、６４ｄとチューブガイド部６２との係合位置７２ａ、７２ｂ、７２ｃ、７２ｄに対応してチューブガイド部６２の係合位置７２ａ、７２ｂ、７２ｃ、７２ｄを覆う。
【０１２３】
また、本実施形態では本発明に係るチューブガイド部６２を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【０１２４】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【０１２５】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【０１２６】
１０  インクジェットプリンター、１２  装置本体、１４  画像読取装置、
１６  被記録媒体収容カセット、１８、１８ａ、１８ｂ、１８ｃ、１８ｄ  インクタンク、
２０  ヒンジ、２２  キャリッジ、２４  駆動モーター、２６  キャリッジ駆動機構、
２８  従動プーリー、３０  歯付きベルト、３２  記録ヘッド、３４  媒体支持部材、
３６  搬送ローラー対、３６ａ  搬送駆動ローラー、３６ｂ  搬送従動ローラー、
３８  排出ローラー対、３８ａ  排出駆動ローラー、３８ｂ  排出従動ローラー、
４０  保持部材、４２  排出スタッカー、４４  筐体、４４ａ  筐体摺動部、
４６  アーム部、４８、４８ａ、４８ｂ、４８ｃ、４８ｄ  接続アダプター、
５０  カバー部材、５２  第１の案内部材、５２ａ  平坦部、５２ｂ  倒立部、
５４  第２の案内部材、５６  ギャップ調整手段、５８  第１の摺動部、
５８ａ  水平摺動部位、５８ｂ  倒立摺動部位、６０  第２の摺動部、
６２  チューブガイド部、６４、６４ａ、６４ｂ、６４ｃ、６４ｄ、６６、６６ａ、６６ｂ、６６ｃ、６６ｄ、８０、８０ａ、８０ｂ、８０ｃ、８０ｄ  インクチューブ、
６８  チューブ案内部材、７０  チューブ径変換部材、７２  ガイド溝、
７２ａ、７２ｂ、７２ｃ、７２ｄ  係合位置、７４  折り返し部、７６  シート部材、
７８  スリット、Ｆ、Ｆ１、Ｆ２、Ｆ３、Ｆ４  復元力、
Ｌ０、Ｌ１、Ｌ２、Ｌ３、Ｌ４、Ｌ５、Ｌ６、Ｌ７、Ｌ８  距離、
Ｎ１、Ｎ２  回転モーメント
【図１】
2016165840.tif 000003
【図２】
2016165840.tif 000004
【図３】
2016165840.tif 000005
【図４】
2016165840.tif 000006
【図５】
2016165840.tif 000007
【図６】
2016165840.tif 000008
【図７】
2016165840.tif 000009
【図８】
2016165840.tif 000010
【図９】
2016165840.tif 000011
【図１０】
2016165840.tif 000012
【図１１】
2016165840.tif 000013
【図１２】
2016165840.tif 000014
【図１３】
2016165840.tif 000015
【図１４】
2016165840.tif 000016
【図１５】
2016165840.tif 000017
【図１６】
2016165840.tif 000018